(57)【要約】【課題】無線受信機と疑惑電波解析手段を有するスマートホンまたはタブレットとからなる疑惑電波探索装置を提供する。【解決手段】スマートホンまたはタブレットが有する疑惑電波解析手段が、無線受信機の探索場所入力手段と、探索する範囲と信号レベルを設定する検出条件設定手段と、検出条件を無線受信機に指示する検出条件指示手段と、無線受信機が検査した疑惑電波をスマートホンのメモリに記憶された疑惑電波データベースを基に、疑惑電波か否か判定する判定手段と、検査する疑惑電波を特定する特定電波検出手段と、特定電波の受信結果の音声信号を無線受信機またはスマートホンもしくはタブレット端末に出力させる音声出力手段とを有することを特徴とする。【選択図】図１
2017183165.tif 000002
【特許請求の範囲】
【請求項１】
無線電波を受信しうる無線受信機と、該無線受信機を無線通信方式により制御可能に接続されるスマートホンまたはタブレット端末と、該スマートホンまたはタブレット端末に設けられた疑惑電波解析手段とからなる疑惑電波探索装置において、
疑惑電波解析手段には、
無線電波の探索場所を入力する探索場所入力手段と、
探索する範囲と信号レベルを設定する検出条件設定手段と、
設定された検出条件による受信を無線通信を介して無線受信機に指示する検出条件指示手段と、
無線受信機が探索した電波のデータをスマートホンまたはタブレット端末に入力する手段と、
入力された電波のデータを、メモリに記憶された疑惑電波データベースを基に、疑惑電波に該当するか否か判定する判定手段と、
判定手段で疑惑電波と判定された電波のデータをスマートホンまたはタブレット端末のディスプレイに表示する疑惑電波表示手段と、
表示された電波のデータの１つを選択し、該１つの電波のデータを無線受信機で受信させる特定電波検出手段と、
特定電波の受信結果の音声信号を無線受信機またはスマートホンもしくはタブレット端末に出力させる音声出力手段とを有することを特徴とする疑惑電波探索装置。
【請求項２】
前記スマートホンまたはタブレット端末をインターネットを介して管理サーバと接続すると共に、スマートホンまたはタブレット端末への操作履歴およびスマートホンまたはタブレット端末に入力された各種データを日時データと共に時系列に管理サーバ上のメモリに自動記録することを特徴とする疑惑電波探索装置。
【請求項３】
疑惑電波分析手段が、スマートホンまたはタブレット端末の位置を検出するＧＰＳ機能と連携されており、
特定周波数の信号を無線受信機で受信する際に、該受信結果とスマートホンまたはタブレット端末と一体的に位置または方向を変える無線受信機の受信位置または方向を関連づけて記憶されており、
前記受信した複数の信号の中からレベルが高い位置または方向を判定した結果をスマートホンまたはタブレット端末のディスプレイに表示する検出アシスト手段を設けてなることを特徴とする請求項１または２に記載の疑惑電波探索装置。
【請求項４】
受信信号がハウリングと判定されると、無線受信機のスピーカー、またはスマートホンまたはタブレット端末のディスプレイまたはスピーカーでハウリング検出の外部表示の信号を出力させるハウリング判定手段を設けていることを特徴とする請求項１または３に記載の疑惑電波探索装置。
【発明の詳細な説明】
【技術分野】
【０００１】
本発明は、疑惑電波を携帯型の無線受信機とスマートホン（Ｓｍａｒｔｐｈｏｎｅ）またはタブレット端末と、これらの端末にインストールされたアプリケーションにより、疑惑電波を検出し分析して無線盗聴器や無線盗撮器を発見する装置である。
【背景技術】
【０００２】
大手メーカーや研究機関はもちろん、個人でも、無線盗聴器や無線盗撮器による情報漏洩やプライバシーの侵害が、犯罪行為や社会問題になっている。
そこで、未然に情報漏洩やプライバシーの侵害が起こらないようにして、無線盗聴器や無線盗撮器を発見することが要求されている。【０００３】
本発明者は、無線受信機をスマートホンやタブレット端末で操作し、無線受信機で受信した電波をスキャンし外部表示して疑惑電波を特定し、選択した疑惑電波に乗っている音声信号を無線受信機で再生しながら疑惑電波の発信源を発見できないかどうか研究の結果、本発明を完成するに至った。
【先行技術文献】
【特許文献】
【０００４】
【特許文献１】特開２０１５−１５９５２１号公報
【発明の概要】
【発明が解決しようとする課題】
【０００５】
本発明の課題は、携帯型の無線受信機を、スマートホンまたはタブレット端末で制御可能に接続して、前記無線受信機で受信した音声信号の電波をスマートホンまたはタブレット端末でこれにインストールしたアプリケーションソフトを用いて画面から操作することで無線受信機を制御しスマートホンまたはタブレット端末の画面に疑惑電波をスキャンし、指定した疑惑電波を復調して無線受信機から音声信号を得て無線盗聴器ないしは無線盗撮機を探索する疑惑電波探索装置を提供することにある。
【課題を解決するための手段】
【０００６】
本発明の目的を実現するために、請求項１の発明では、
無線電波を受信しうる無線受信機と、該無線受信機を無線通信方式により制御可能に接続されるスマートホンまたはタブレット端末と、該スマートホンまたはタブレット端末に設けられた疑惑電波解析手段とからなる疑惑電波探索装置において、
疑惑電波解析手段には、
無線電波の探索場所を入力する探索場所入力手段と、
探索する範囲と信号レベルを設定する検出条件設定手段と、
設定された検出条件による受信を無線通信を介して無線受信機に指示する検出条件指示手段と、
無線受信機が探索した電波のデータをスマートホンまたはタブレット端末に入力する手段と、
入力された電波のデータを、メモリに記憶された疑惑電波データベースを基に、疑惑電波に該当するか否か判定する判定手段と、
判定手段で疑惑電波と判定された電波のデータをスマートホンまたはタブレット端末のディスプレイに表示する疑惑電波表示手段と、
表示された電波のデータの１つを選択し、該１つの電波のデータを無線受信機で受信させる特定電波検出手段と、
特定電波の受信結果の音声信号を無線受信機またはスマートホンもしくはタブレット端末に出力させる音声出力手段とを有することを特徴とする。
請求項２の発明では、
前記スマートホンまたはタブレット端末をインターネットを介して管理サーバと接続すると共に、スマートホンまたはタブレット端末への操作履歴およびスマートホンまたはタブレット端末に入力された各種データを日時データと共に時系列に管理サーバ上のメモリに自動記録することを特徴とする。
【発明の効果】
【０００７】
本発明の疑惑電波探索装置は、上記の構成において、ユーザーが無線盗聴器や無線盗撮器による情報漏洩やプライバシー侵害を防止したい場所に設置し、連続サーチで検出した周波数と信号強度の情報を携帯電話の疑惑電波解析手段に送信して疑惑電波を探索する。
探索された疑惑電波は、携帯電話と接続されたインターネットサーバーに送信され、メモリに記憶されたデータベースから疑惑電波周波数を割り出して、新しい疑惑電波の特定周波数が追加されたデータベースを更新する。
更新されたデータベースは携帯電話ソフトウェアのバージョンアップを行うことで更新され、ユーザーは何時でもどこでも簡単に短時間で特定周波数をサーチして無線盗聴器と無線盗撮器が仕掛けられていないことを確認できる。
【図面の簡単な説明】
【０００８】
【図１】本発明による情報収集システムとスマートホンの実施形態を示す図である。
【図２】本発明による情報収集システムと疑惑電波分析システムと全ユーザー送信システムの構成を示した図である。
【図３】携帯電話の探索前の画面を示す正面図である。
【図４】疑惑電波の検査結果を示す携帯電話の画面の正面図である。
【図５】検査条件を設定する携帯電話の設定画面の正面図である。
【図６】疑惑電波分析手段のブロック図である。
【発明を実施するための形態】
【０００９】
以下本発明の実施例を図面を参照しながら説明する。
【実施例１】
【００１０】
図１は、本発明の疑惑電波探索装置を示すもので、携帯用の無線受信機１と、スマートホン７とからなって、両者をワイヤレスで接続したブロック図を示すものである。
図２は、複数の疑惑電波探索装置と、インターネット（クラウド）管理サーバー８と、該サーバーアプリケーション９を有するコンピューターとからなり、情報収集システムと疑惑電波分析システムと全ユーザー送信システムを構成するブロック図である。
この発明ではインターネット通信が可能なマイクロコンピュータ構成を有するスマートホンに限らず、同様の機能を有するタブレット端末を用いてもよい。【００１１】
図１において、疑惑電波探索装置２０は、携帯型の無線受信機１とスマートホン７とから構成され、通常は、使用者が両方を所持して使用する。
無線受信機１は、例えば、Ｂｌｕｅｔｏｏｔｈ（登録商標）通信方式により操作可能な無線受信機、一例として「ＥＧＭ−２０１２ｉＳＰＡ」（テクノエナジー株式会社製造）を用いる。【００１２】
無線受信機１に対する無線制御は、双方の機器が対応していれば、前記ブルートゥースに限らず、無線ＬＡＮを用いてもよい。
この無線受信機１は、コンピュータ構成からなっており、アンテナ５と、アンテナ５に接続された受信部２と、無線受信機１を制御するＣＰＵ３と、無線受信機の制御信号や検出したデータを送受信するための無線通信機能、本実施例ではＢｌｕｅｔｏｏｔｈ（登録商標）通信方式による無線通信機能４と、検出した信号を音声信号にして出力しうるスピーカー６とからなっている。【００１３】
一方、スマートホン７にも、無線受信機１の無線通信機能４に対応する無線通信機能、本実施例ではＢｌｕｅｔｏｏｔｈ（登録商標）通信方式による無線通信機能ＢＴを有している。
スマートホン７には、アプリケーションソフトとして疑惑電波分析手段１０としてのアプリケーションソフトがインストールされる。
そして、疑惑電波分析手段１０では、無線受信機１による受信対象の条件設定およびスマートホン７から無線受信機１へ制御信号を出力し、また無線受信機１が受信した電波の情報から疑惑電波を抽出してスマートホン７のディスプレイＤに外部表示することができるようになっている。【００１４】
疑惑電波解析手段１０は、図６で示すように、無線受信機１が受信する周波数帯域の条件を設定する検出条件設定手段１１と、設定された検出条件にもとづいて、ブルートゥースを介して無線受信機１に制御信号を送信する検出条件指示手段１１Ａとを有している。
そして、無線受信機１が受信した受信結果（周波数、レベルなど）のデータは、ブルートゥースを介してスマートホン７に出力される。
スマートホン７が前記受信結果のデータを入力すると、疑惑電波判定手段１３が、スマートホン７のメモリに記憶された疑惑電波データベース１２と照合して疑惑電波か否かを判定する。
疑惑電波と判定されると、疑惑電波表示手段１４により、判定された全ての疑惑電波のデータをスマートホン７の画面、図示例では後述の検出画面Ｇ１の表示欄３６に表示する。
判定された疑惑電波のデータが１つであればその電波を特定し、複数であればその中の１つを適宜選択して特定し、特定電波検出手段１５により無線受信機１に特定された疑惑電波の検出を行うように指示信号を無線受信機１に出力する。
ブルートゥースを介してこの指示信号を受信すると、無線受信機１は、受信を再開して盗聴器等の探索を行う。
疑惑電波の音源が盗聴器でないと推測、または確認された場合には、複数の疑惑電波の中の次の疑惑電波を選択して、同様に探索を行えば良い。【００１５】
本実施例では、スマートホン７のディスプレイに表示される疑惑電波解析手段１０の検出画面Ｇ１（図３参照）で、最下段にある「メモ書きマーク」４０をクリックすると、受信条件設定画面Ｇ２（図４参照）があらわれる。
この受信条件設定画面Ｇ２では、上段に「クラウド設定」として「ひも付けコードの入力欄」２１が設けられている。【００１６】
この入力欄２１に、所定のコードを入力することで、スマートホン７が有するインターネット通信機能によりインターネット上の管理サーバー８、９に接続され、管理サーバー８、９に設定されたメモリに、前記ひも付けされたスマートホン７の無線受信および疑惑電波解析に関連するイベントのデータや受信データを日時と共に記憶可能となる。【００１７】
前記画面Ｇ２の中段には、「検出レベル設定」欄２２が設けられており、無線受信機１の電波の検出レベルの強弱を設定する。
図示例では１から５まで５段階に分かれており、そのうちの１つのレベルを選択することができるようになっている。【００１８】
下段には、「通信抵抗レベル設定」の欄が設けられており、「ノイズ除去」の欄２３と「サーチ範囲」の欄２４がある。
「ノイズ除去」の欄は、ノイズ除去の強さを設定（スケルチ設定）するもので、図示例では、「なし」、「弱」、「強」の３種類がある。
「サーチ範囲」の欄は、サーチ範囲の周波数帯域の広さ設定（アッテネータ設定）するもので、図示例では、「広」、「中」、「狭」の３種類に分かれている。
上記受信条件設定画面で設定された受信条件は、スマートホン７のメモリに記憶される。【００１９】
上記設定が終了すると、次に、図３の前記検出画面Ｇ１では、上段に、音声疑惑信号の帯域を受信するための「スピーカーマーク」３１と、音声疑惑信号および映像疑惑信号の両方の帯域を受信するための「スピーカー／カメラマーク」３２と、映像疑惑信号の帯域を受信をするための「カメラマーク」３３とが表示されており、上記のボタンの中から１つを押し下げて、受信周波数の対象範囲を限定し、同時に限定された受信対象のもとで前記受信条件設定画面Ｇ２で設定された受信条件（レベル、ノイズ除去、サーチ範囲）によって受信範囲を設定し、前記検出条件指示手段１１Ａにより、ブルートゥース４、ＢＴを介して無線受信機１のＣＰＵ３を制御して無線受信機１での受信を開始する。
無線受信機１で、前記受信条件の基で検出された電波信号のデータは、ブルートゥース４、ＢＴを介してスマートホン７側に送信される。【００２０】
前記検出画面Ｇ１には、前記スピーカーマーク３１やカメラマーク３３の下に「中止」ボタン３４が表示されており、該中止ボタン３４を押下することで、無線受信機１による受信を中止する。
中止ボタン３４の下には、検出を行う検査場所の入力欄３５が設けられており、使用者により任意に入力される。
この検査場所の入力は、スマートホン７のＧＰＳ機能を利用して、スマートホン７の現在位置を入力するものでもよい。【００２１】
また、検出画面Ｇ１の中段には、無線受信機１による受信結果を表示する表示欄３６が設けられている。
本実施例では、疑惑電波表示手段１４によって、検出結果画面Ｇ３に示すように、表示欄３６に、受信された異なる周波数の受信結果の一覧が表示される。
図５に示す検出結果画面Ｇ３では、（１）３９９．４３０ＭＨｚ（レベル２）３７ａ、（２）３９９．４５５ＭＨｚ（レベル２）３７ｂが表示されている。
そこで、使用者は、上記受信結果をもとに、特定して探索したい周波数の欄（３７ａまたは３７ｂ）を押下する。【００２２】
これにより、特定電波検出手段１５によって、スマートホン７から無線受信機１に、上記周波数に限定して受信するように指示信号が出力され、無線受信機１により特定周波数の受信が行われる。
この受信された周波数の無線信号は、復調されて無線受信機１のスピーカー６から音声信号として出力される。【００２３】
そこで、使用者は、無線受信機１とスマートホン７を所持した状態で、無線受信機１のスピーカー６から出力される音声を聴取しながら移動し、音声がハウリングする個所を探すことで音源の場所を発見し、それが盗聴器か否か判断することができる。
この発明では、無線受信機１からの音声出力と共に、または音声出力にかえて、スマートホン７のスピーカー（図示省略）から直接またはイヤホンやヘッドホンを介して音声を出力させてもよい。【００２４】
また、この発明では、スマートホン７が有するＧＰＳ機能を利用して音源となる盗聴器を検出する検出アシスト手段１６を設けてもよい（図６参照）。
検出アシスト手段１６は、前記無線受信機１により特定周波数の受信が行われるときに、スマートホン７の検出画面に設けられた図示しない検出アシストボタンを押下する。
これにより、スマートホン７のＧＰＳ機能を用いて現在位置が表示され、特定周波数の信号を無線受信機１で受信する際に、スマートホン７と一体的に無線受信機１の受信位置または方向を変えて受信することで、該受信結果を前記ＧＰＳ機能で検知した位置や方向と関連づけて記憶し、受信した複数の信号の中から相対的にレベルが高い位置や方向をスマートホン７のディスプレイＤに表示する。【００２５】
表示に際しては、スマートホン７の地図データ上に、複数の検出地点と、その中で受信レベルに対応したマークを表示し、または、最も高いレベルの信号を受信した地点を表示することで、相対的な比較から、音源の検出方向を推定させることができる。
また、受信した信号がハウリングか否かを判定するハウリング判定手段１７を設けてもよい。【００２６】
そして、前記信号がハウリングであると判定すると、ハウリングを検知したこをスマートホン７に外部表示する。
例えば、外部表示の一例として、スマートホン７の地図データ上にハウリング発生を示すマークを表示するものでもよいし、スマートホン７から警報信号を出力するもなどでもよい。
スマートホン７の外部表示と共に、あるいはこれに変えて無線受信機１のスピーカー６から実際のハウリングの音声を出力させるものでもよい。
これにより、ハウリングの最も大きい音源個所を調べることができ、その音源が盗聴器か否かを判断する。【００２７】
前述のように、使用者は、選択した受信結果の音源場所を調べて、それが盗聴器からの発信ではないと判断した場合には、前記表示欄３６から異なる周波数の受信結果を選択し押下して、前記と同様の探索を行う。
このようにして受信結果として表示された全ての周波数の電波を探索することができる。
なお、周波数が近似する場合は同一音源である可能性が高いので、一定数の差異がある周波数を選択することが好ましい。
あるいは、周波数が一定の範囲内にある場合には同一の音源と判定してもよい。【００２８】
表示欄３６の下段には、探索モードのボタン３８と、探索終了ボタン３９とが設けられており、探索終了ボタン３９を押下することで、前記受信結果はリセットされ画面上から消去される。
また、最下段のバーに設けられた録音ボタン４１を押下することで、指定した周波数の信号をスマートホン７のメモリに記憶することができる。【００２９】
即ち、録音ボタン４１の押下により録音可能な録音先トラック番号のリストが表示され、該リストの中から１つのトラック番号を選択することで、該トラック番号に一定時間（例えば８秒）の録音が行われる（図示せず）。
同様に、再生ボタン４２を押下することで、録音済みのトラック番号のリストが表示され，再生したいトラック番号を押下することで再生を始めることができる。【００３０】
上記実施例では、盗聴器の周波数帯での調査を例に示したが、盗撮機（映像）の周波数帯での調査も同様となる。
但し、映像については、無線受信機１では映像を表示できないようになっているので、音声信号のみで盗撮機の場所を探査することになる。
その他の構成は前記実施例と同様であるので説明を省略する。【００３１】
図２において、無線受信機１とスマートホン７からなる複数の疑惑電波探索装置２０（説明の便宜上、図２では１Ａと７Ａ、１Ｂと７Ｂ、１Ｃと７Ｃとする）を疑惑電波を探索したいところにそれぞれ設置しておく。
この場合、各スマートホン７Ａ〜７Ｃには、同じ検出条件が設定され、同一条件で無線受信機１Ａ〜１Ｃが作動し、受信結果が各スマートホン７Ａ〜７Ｃに出力される。
スマートホン７Ａ〜７Ｃが入力した受信結果のデータは、インターネットを介して管理サーバー８に送信され、そのメモリに記憶される。【００３２】
上記管理サーバー８では、各疑惑電波探索装置２０から入力された結果を基に、それぞれ特定の周波数について最もレベルの高い受信結果の疑惑電波探索装置２０を判定する。
判定により最もレベルの高い受信結果となった疑惑電波探索装置２０について、前記実施例と同様に、例えば、無線受信機１Ａ〜１Ｃのいずれかで音声を出力して、ハウリングする個所を探索して盗聴器類を発見することができる。
その他の構成は前記実施例と同様であるので、その説明を省略する。【００３３】
疑惑電波分析手段１０における疑惑電波のデータベース１２は、市販されている盗聴器や盗撮機として使用可能な無線発信器の特定周波数を基にデータベース化したものであって、周波数帯域は、音声周波数が含まれる領域と映像周波数が含まれる領域に分かれ、更に各領域内で、前記無線発信器毎の想定される周波数帯を個別に記録しており、新しい機器が製造されて新しい特定周波数が生ずると、これを前記データベース１２に追加して記録しデータベースを更新する。
そして、疑惑電波解析手段１０であるスマートホンのソフトウエアでバージョンアップを行う際に、新たな疑惑電波を含む疑惑電波のデータベース１２を更新することができる。
【産業上の利用可能性】
【００３４】
本発明は、無線盗聴器や無線盗撮器による情報漏洩やプライバシー侵害を防止したい企業や個人向けのセキュリティシステムである。
【符号の説明】
【００３５】
１  無線受信機
２  受信部
３  ＣＰＵ
４  無線受信機側の無線通信機能
５  アンテナ
６  スピーカー
７  スマートホン
８  インターネット上の管理サーバー８
９  サーバーアプリケーション
１０  疑惑電波分析手段
１１  検出条件設定手段
１２  疑惑電波データベース
１３  疑惑電波判定手段
１４  疑惑電波表示手段
１５  特定電波検出手段
１６  検出アシスト手段
１７  ハウリング判定手段
２０  疑惑電波探索装置
２１  ひも付けコードの入力欄
２２  検出レベル設定欄
２３  ノイズ除去欄
２４  サーチ範囲欄
３１  スピーカーマーク
３２  スピーカー／カメラマーク
３３  カメラマーク
３４  中止ボタン
３５  検出場所の入力欄
３６  表示欄
３７ａ、３７ｂ  周波数の受信結果
３８  探索モードのボタン
３９  探索終了ボタン
４０  メモ書きマーク
４１  録音ボタン
４２  再生ボタン
ＢＴ    スマートホン側の無線通信機能
Ｄ      ディスプレイ
Ｇ１    検出画面
Ｇ２    受信条件設定画面
Ｇ３    検出結果画面
【図１】
2017183165.tif 000003
【図２】
2017183165.tif 000004
【図３】
2017183165.tif 000005
【図４】
2017183165.tif 000006
【図５】
2017183165.tif 000007
【図６】
2017183165.tif 000008
【手続補正書】
【提出日】平成28年7月29日(2016.7.29)
【手続補正１】
【補正対象書類名】特許請求の範囲
【補正対象項目名】請求項２
【補正方法】変更
【補正の内容】
【請求項２】
前記スマートホンまたはタブレット端末をインターネットを介して管理サーバと接続すると共に、スマートホンまたはタブレット端末への操作履歴およびスマートホンまたはタブレット端末に入力された各種データを日時データと共に時系列に管理サーバ上のメモリに自動記録することを特徴とする請求項１に記載の疑惑電波探索装置。
【国際調査報告】
2017183165.tif 000009
2017183165.tif 000010
2017183165.tif 000011
2017183165.tif 000012